(57)【要約】【課題】降雨時において、使用者が乗用車等に乗り込む際に傘を瞬時に収納することを可能にするとともに、その後の一連の動作において傘に付着した水滴が使用者、座席、床に付着・飛散することを防止することができる傘ホルダを提供する【解決手段】傘ホルダは、それぞれ径の大きさが異なっており伸縮自在に連結されている第１筒状部材１１〜第４筒状部材１４で構成される。未使用時には、第１筒状部材１１の内部に第２筒状部材１２〜第４筒状部材１４が収納されている。そして、使用時には、傘の先端側を第１筒状部材１１の上端側から挿入すると、第２筒状部材１２〜第４筒状部材１４が伸長して傘がホルダ内部に収納される。【選択図】      図１
2008200307.tif 000002
【特許請求の範囲】
【請求項１】
軸方向に伸縮可能な伸縮機構を有する筒状部材を備えた傘ホルダ。
【請求項２】
前記筒状部材は、径の大きさが異なる複数の部材で構成されており、該複数の部材のうち、径の小さな部材は、径の大きな部材の内部に収納可能に構成されていることを特徴とする請求項１に記載の傘ホルダ。
【請求項３】
前記複数の部材には、収納状態で隣接する部材に係止するための係止部が設けられていることを特徴とする請求項２に記載の傘ホルダ。
【請求項４】
前記筒状部材の内側面には、該筒状部材の中心方向に向けて突出した突出部が設けられていることを特徴とする請求項１〜請求項３のうち何れか１項に記載の傘ホルダ。
【請求項５】
前記筒状部材の底部には、水を排出させるための排出部が備えられていることを特徴とする請求項１〜請求項４のうち何れか１項に記載の傘ホルダ。
【請求項６】
前記筒状部材は、透明な材質であることを特徴とする請求項１〜請求項５のうち何れか１項に記載の傘ホルダ。
【請求項７】
前記筒状部材には、該筒状部材の長手方向に延びる薄肉部が形成されていることを特徴とする請求項１〜請求項６のうち何れか１項に記載の傘ホルダ。
【発明の詳細な説明】
【技術分野】
【０００１】
本発明は、使用した傘を入れる携帯に適した傘ホルダに関するものである。
【背景技術】
【０００２】
降雨時において、乗用車への乗車の際には雨で濡れないようにするため急を要する。そのため、濡れた傘をすばやく車内に持ち込む必要がある。このとき、当該濡れた傘によって、運転者は自分の服を濡らされるばかりでなく、傘に付着した水滴で乗用車の床や座席をも濡らされることになる。また、ラッシュアワー時における電車の車内に濡れた傘が持ち込まれた場合、身動きができない状態であるため、本人のみならず他の乗客にも水滴が付着・飛散することになる。こうした問題を解決するために考案された傘ホルダの従来技術としては、例えば特許文献１に記載されたものがある。
【０００３】
【特許文献１】特開平１０−０４３０３１号公報
【発明の開示】
【発明が解決しようとする課題】
【０００４】
しかしながら、特許文献１に記載された傘ホルダは、筒体の周壁に開口部に連通する切欠部が形成されているものであり、当該切欠部から、傘に付着した水滴が飛散する可能性を払拭することはできない。さらには、筒体には折り畳み機構のような構成は存在しないため、狭い運転席での素早い操作には適さない。勿論、バッグ等に収納して携帯することもできない。
【０００５】
本発明の目的は、降雨時において、使用者が乗用車等に乗り込む際に傘の先端側から被せることで当該傘を瞬時に収納することを可能にするとともに、その後の一連の動作において傘に付着した水滴が使用者、座席、床に付着・飛散することを防止することができる傘ホルダを提供することである。さらには、携帯性に優れ、使用用途が乗用車に限定されることなく、電車への乗車時等にも使用可能であり、まさに傘に付着した水滴で濡れたくないという現代社会のニーズに合致した傘ホルダを提供することである。
【課題を解決するための手段】
【０００６】
上記目的を達成するために、請求項１に係る発明は、軸方向に伸縮可能な伸縮機構を有する筒状部材を備えたことを特徴とする。
また、請求項２に係る発明は、請求項１に記載の傘ホルダにおいて、前記筒状部材は、径の大きさが異なる複数の部材で構成されており、該複数の部材のうち、径の小さな部材は、径の大きな部材の内部に収納可能に構成されていることを特徴とする。
【０００７】
また、請求項３に係る発明は、請求項２に記載の傘ホルダにおいて、前記複数の部材には、収納状態で隣接する部材に係止するための係止部が設けられていることを特徴とする。
また、請求項４に係る発明は、請求項１〜請求項３のうち何れか１項に記載の傘ホルダにおいて、前記筒状部材の内側面には、該筒状部材の中心方向に向けて突出した突出部が設けられていることを特徴とする。
【０００８】
また、請求項５に係る発明は、請求項１〜請求項４のうち何れか１項に記載の傘ホルダにおいて、前記筒状部材の底部には、水を排出させるための排出部が備えられていることを特徴とする。
また、請求項６に係る発明は、請求項１〜請求項５のうち何れか１項に記載の傘ホルダにおいて、前記筒状部材は、透明な材質であることを特徴とする。
また、請求項７に係る発明は、請求項１〜請求項６のうち何れか１項に記載の傘ホルダにおいて、前記筒状部材には、該筒状部材の長手方向に延びる薄肉部が形成されていることを特徴とする。
【発明の効果】
【０００９】
本発明の傘ホルダによれば、傘に付着した水滴が飛散することを防止しつつ、携帯性に優れ、また使用者が即座に傘を収納して乗車することができる。
【発明を実施するための最良の形態】
【００１０】
以下、本発明を適用した傘ホルダの一実施形態について説明する。
図１、図２に示すように、本実施形態における傘ホルダは、それぞれ径の大きさが異なっており、伸縮自在に連結されている第１筒状部材１１、第２筒状部材１２、第３筒状部材１３、有底の第４筒状部材１４で構成される。これら第１筒状部材１１〜第４筒状部材１４は、何れも軸方向に対して垂直方向の断面形状が円形状をなしており、軸方向の断面形状が緩やかなテーパ形状をなしている。また、第１筒状部材１１〜第４筒状部材１４の材質は、何れも透明の塩化ビニルである。
【００１１】
第１筒状部材１１は、径の大きい長手方向上端側が傘を挿入するための開口部となっている。第１筒状部材１１の上端側内面には、第２筒状部材１２が収納された際に、当該第２筒状部材１２が抜け出すことを防止するための上側ストッパ部１１ａが形成されている。具体的に、上側ストッパ部１１ａは、第１筒状部材１１の上端部から中心軸方向に向かって延出形成されている。また、当該上側ストッパ部１１ａの下方には、第２筒状部材１２を嵌合係止するための係止部１１ｂが、内周に沿うように第１筒状部材１１の中心軸方向に向かって延出形成されている。
【００１２】
また、第１筒状部材１１は、上端側よりも径の小さい長手方向下端側も開口している。そして、当該下端側の先端には、第１筒状部材１１の内部に収納されている第２筒状部材１２が第１筒状部材１１の下端側から押し出された際に、抜け出すことを防止するための下側ストッパ部１１ｃが形成されている。具体的に、下側ストッパ部１１ｃは、第１筒状部材１１の下端部から中心軸方向に向かって延出形成されている。
【００１３】
第２筒状部材１２は、径の大きい長手方向上端側が開口している。第２筒状部材１２の上端側内面には、第３筒状部材１３が収納された際に、当該第３筒状部材１３が抜け出すことを防止するための上側ストッパ部１２ａが形成されている。具体的に、上側ストッパ部１２ａは、第２筒状部材１２の上端部から中心軸方向に向かって延出形成されている。また、当該上側ストッパ部１２ａの下方には、第３筒状部材１３を嵌合係止するための係止部１２ｂが、内周に沿うように第２筒状部材１２の中心軸方向に向かって延出形成されている。
【００１４】
また、第２筒状部材１２は、上端側よりも径の小さい長手方向下端側も開口している。そして、当該下端側の先端には、第２筒状部材１２の内部に収納されている第３筒状部材１３が第２筒状部材１２の下端側から押し出された際に、抜け出すことを防止するための下側ストッパ部１２ｃが形成されている。具体的に、下側ストッパ部１２ｃは、第２筒状部材１２の下端部から中心軸方向に向かって延出形成されている。さらに、第２筒状部材１２の上端側面には、第１筒状部材１１の上側ストッパ部１１ａに当接するとともに係止部１１ｂに嵌合される当接部１２ｄが、中心軸とは反対方向に突出形成されている。
【００１５】
第３筒状部材１３は、第２筒状部材１２よりも径の大きさが小さいものの、構造は第２筒状部材１２と同じである。
第３筒状部材１３は、径の大きい長手方向上端側が開口している。第３筒状部材１３の上端側内面には、第４筒状部材１４が収納された際に、当該第４筒状部材１４が抜け出すことを防止するための上側ストッパ部１３ａが形成されている。具体的に、上側ストッパ部１３ａは、第３筒状部材１３の上端部から中心軸方向に向かって延出形成されている。
【００１６】
また、当該上側ストッパ部１３ａの下方には、第４筒状部材１４を嵌合係止するための係止部１３ｂが、内周に沿うように第３筒状部材１３の中心軸方向に向かって延出形成されている。また、第３筒状部材１３は、上端側よりも径の小さい長手方向下端側も開口している。そして、当該下端側の先端には、第３筒状部材１３の内部に収納されている第４筒状部材１４が第３筒状部材１３の下端側から押し出された際に、抜け出すことを防止するための下側ストッパ部１３ｃが形成されている。
【００１７】
具体的に、下側ストッパ部１３ｃは、第３筒状部材１３の下端部から中心軸方向に向かって延出形成されている。さらに、第３筒状部材１３の上端側面には、第２筒状部材１２の上側ストッパ部１２ａに当接するとともに係止部１２ｂに嵌合される当接部１３ｄが、中心軸とは反対方向に突出形成されている。
【００１８】
第４筒状部材１４は、径の大きい長手方向上端側が開口している。第４筒状部材１４の上端側面には、第３筒状部材１３の上側ストッパ部１３ａに当接するとともに係止部１３ｂに嵌合される当接部１４ａが、中心軸とは反対方向に突出形成されている。
一方、上端側よりも径の小さい長手方向下端側には、底部の中心に軸方向外側に突出する水抜き部１５が形成されている。当該水抜き部１５には、内部に溜まった水を外部に排出するための排出部としての排出穴１６が設けられている。
【００１９】
また、水抜き部１５には、キャップ１７が嵌合されており、通常は排出穴１６が塞がれている。具体的に、突出形成されている水抜き部１５の表面には雄ねじが形成されている。一方、キャップ１７の内部には雌ねじが形成されている。そして、水抜き部１５の雄ねじとキャップ１７の雌ねじとが螺合することにより嵌合状態を維持することができる。
【００２０】
次に、このように構成されている本実施形態に係る傘ホルダの使用方法について説明する。
未使用時には、傘ホルダは、図３に示すような収納状態で、バッグ等に入れられている。雨に濡れた傘をホルダ内に収納する場合、使用者によって第１筒状部材１１が把持された状態で傘の先端部分が傘ホルダの内部に挿入される。傘の先端部分が第４筒状部材１４の底部に当接した状態でさらに傘が挿入されると、各筒状部材１１〜１４の係止状態が解除されて、傘ホルダは、各筒状部材１２〜１４の各当接部１２ｄ、１３ｄ、１４ａが上側ストッパ部１１ａ〜１３ａにそれぞれ当接するまで伸長される。このように、傘を挿入するだけで瞬時に傘ホルダが伸長されて、傘が収納される。
【００２１】
以上説明したとおり、本実施形態の傘ホルダによれば、次のような効果がある。
・傘の先端側から基端側（把手側）へとスライド式にすばやく差し込むことができるため、傘の収納処理を迅速に実行することができ、使用者が雨で濡れることを極力抑えることができる。
・未使用時には第２筒状部材１２〜第４筒状部材１４を第１筒状部材１１の内部に収納することができるため、バッグ等に容易に収納して携帯することができる。
【００２２】
・第２筒状部材１２を第１筒状部材１１の内部に収納した際に、上側ストッパ部１１ａ及び係止部１１ｂによって嵌合係止されるため、収納状態を維持することができる。したがって、未使用時に収納された第２筒状部材１２〜第４筒状部材１４が飛び出すことを防止することができる。
【００２３】
・第４筒状部材１４の底部には水を排出させるための排出部を設けた。したがって、傘ホルダ内に溜まった水を容易に外に排出することができる。
・第１筒状部材１１〜第４筒状部材１４の材質を透明な塩化ビニルとしたことで、傘の模様を外側からそのまま視認することができる。そのため、多様化する傘の色彩も失うことのない傘ホルダを提供することができる。
【００２４】
なお、上記実施の形態は、以下のように変更して実施してもよい。
・上記実施形態では、傘ホルダを第１筒状部材１１〜第４筒状部材１４の４つの部材で構成したが、部材の数は４つに限られることはない。
・また、傘ホルダを１つの筒状部材で構成して、当該筒状部材の側面を山折りと谷折りとの繰り返し構造をなす蛇腹状としてもよい。もちろん、傘ホルダを複数の筒状部材で構成して、当該複数の筒状部材のそれぞれ若しくは一部の筒状部材を山折りと谷折りとの繰り返し構造をなす蛇腹状としてもよい。
【００２５】
・各筒状部材１１〜１３の上端側内面に、係止部１１ｂ〜１３ｂを延出形成したが、必ずしもこうした係止部１１ｂ〜１３ｂを設ける必要はない。例えば、第１筒状部材１１の上端側内径と第２筒状部材１２の上端側外径とを同じ大きさにしたり、或いは、第２筒状部材１２の上端側外径を第１筒状部材１１の上端側内径よりも若干大きくしたりすることで、収納された筒状部材１２〜１４が飛び出すことを防止することができる。
・第１筒状部材１１〜第４筒状部材１４は、垂直方向の断面形状を円形状としたが、当該形状は、例えば楕円形や六角形等の任意の形状でよい。
【００２６】
・第１筒状部材１１〜第４筒状部材１４の材質は透明な塩化ビニルとしたが、これに限られることはなく、水が付着しても破損し難い材質のものであればよい。また、第１筒状部材１１〜第４筒状部材１４は、表面や内面を撥水加工した厚紙等であってもよい。
【００２７】
なお、図３に示すように、第１筒状部材１１の内側面に、当該第１筒状部材１１の長手方向に延びる突出部としての複数の突起１８を射出成形やプレス加工等により形成してもよい。また、同様に、第２筒状部材１２〜第４筒状部材１４の内側面にも、中心方向に突出する複数の突起を形成してもよい。当該複数の突起１８によって、第１筒状部材１１〜第４筒状部材１４と濡れた傘の布地との接触面積が抑制されるため、濡れた傘を取り出す際の負荷が軽減される。
【００２８】
すなわち、濡れた傘が傘ホルダに収納された場合、当該傘は第１筒状部材１１〜第４筒状部材１４の内面に張り付く。しかしながら、第１筒状部材１１〜第４筒状部材１４の内面に形成されている突起１８によって、傘と内面との接触面積が抑制されるため、濡れた傘の出し入れを容易なものとすることができる。
第１筒状部材１１〜第４筒状部材１４の内面に形成されている突起１８は、傘と第１筒状部材１１〜第４筒状部材１４の内面との接触面積を抑制するものであるから、その形状は任意でよい。
【００２９】
さらに、図４に示すように、第１筒状部材１１の内側面に、当該第１筒状部材１１の長手方向に延びる薄肉部としてのＶ字溝１９を形成してもよい。また、同様に、第２筒状部材１２〜第４筒状部材１４の内側面にも、Ｖ字溝１９を形成してもよい。Ｖ字溝１９によって、未使用時に第１筒状部材１１〜第４筒状部材１４を折りたたむことが可能となり、より携帯性を増すことができる。なお、第１筒状部材１１〜第４筒状部材１４の外側面に、Ｖ字溝１９を形成してもよい。さらに、薄肉部の形状はどのようなものであってもよい。
【図面の簡単な説明】
【００３０】
【図１】実施形態に係る傘ホルダの延出状態を示す断面図。
【図２】実施形態に係る傘ホルダの収納状態を示す断面図。
【図３】別例を示す筒状部材の斜視図。
【図４】別例を示す筒状部材の上面図。
【符号の説明】
【００３１】
１１〜１４…筒状部材、１１ｂ〜１３ｂ…係止部、１６…排出部としての排出穴、１８…突出部としての突起、１９…薄肉部としてのＶ字溝。
【図１】
2008200307.tif 000003
【図２】
2008200307.tif 000004
【図３】
2008200307.tif 000005
【図４】
2008200307.tif 000006